(57)【特許請求の範囲】
【請求項１】
音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択部と、
前記優先出力先選択部によって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換部と
を備え、
前記優先出力先選択部は、前記使用可能な音信号の出力先の数に応じて設定された前記優先度のグループ数に基づいて、前記優先出力先を選択する
ことを特徴とする音響処理装置。
【請求項２】
音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択部と、
前記優先出力先選択部によって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換部と
を備え、
前記優先出力先選択部は、前記優先出力先を選択した前記優先度の指標を示す第１指標値が、第２閾値より低い場合に、前記第１指標値と、当該第１指標値より下位の前記優先度の指標を示す第２指標値との差に応じて、前記第１指標値の優先度に対応する音信号に選択された前記優先出力先に、前記下位の優先度に対応する音信号の割り当てを許可し、
前記信号変換部は、前記下位の優先度に対応する音信号の割り当てが許可されている場合に、前記優先出力先に、前記下位の優先度に対応する音信号を、所定の信号レベル以下で割り当てる
ことを特徴とする音響処理装置。
【請求項３】
前記優先度を判定し、前記優先度情報を生成する優先度判定部と、
前記使用可能な音信号の出力先のうちから、前記優先出力先選択部によって選択された前記優先出力先を除外した出力先を、新たな前記使用可能な音信号の出力先として更新する出力先更新部と
を備え、
前記信号変換部は、前記優先音信号を含まない前記複数の音信号を、前記出力先更新部によって更新された前記使用可能な音信号の出力先に対応したチャンネル数の音信号に変換する
ことを特徴とする請求項１又は請求項２に記載の音響処理装置。
【請求項４】
前記優先度判定部は、前記チャンネルの重要度を示す重要度情報、ダイアログ情報、及び前記チャンネルの位置を示すチャンネル位置情報のうちの少なくとも１つに基づいて、前記優先度を判定し、前記優先度情報を生成する
ことを特徴とする請求項３に記載の音響処理装置。
【請求項５】
前記優先出力先選択部は、前記複数の音信号のうちの前記優先度が高い順に、前記優先出力先を選択する
ことを特徴とする請求項２に記載の音響処理装置。
【請求項６】
前記優先出力先選択部は、前記優先出力先を選択した前記優先度の指標を示す第１指標値と、当該第１指標値より下位の前記優先度の指標を示す第２指標値との差に応じて、前記使用可能な音信号の出力先のうちの前記下位の優先度に対応する音信号の前記優先出力先を選択禁止にする禁止範囲を設定し、当該禁止範囲の出力先が選択されないように、前記下位の優先度に対応する音信号の前記優先出力先を選択する
ことを特徴とする請求項１から請求項５のいずれか一項に記載の音響処理装置。
【請求項７】
前記優先出力先選択部は、前記第１指標値が、第１閾値以上である場合に、前記第１指標値と、前記第２指標値との差に応じて、前記禁止範囲を設定する
ことを特徴とする請求項６に記載の音響処理装置。
【請求項８】
前記優先出力先選択部は、前記第１指標値が、第２閾値より低い場合に、前記第１指標値と、前記第２指標値との差に応じて、前記第１指標値の優先度に対応する音信号に選択された前記優先出力先に、前記下位の優先度に対応する音信号の割り当てを許可し、
前記信号変換部は、前記下位の優先度に対応する音信号の割り当てが許可されている場合に、前記優先出力先に、前記下位の優先度に対応する音信号を、所定の信号レベル以下で割り当てる
ことを特徴とする請求項６又は請求項７に記載の音響処理装置。
【請求項９】
優先出力先選択部が、音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、
信号変換部が、前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップと
を含み、
前記優先出力先選択ステップにおいて、前記優先出力先選択部が、前記使用可能な音信号の出力先の数に応じて設定された前記優先度のグループ数に基づいて、前記優先出力先を選択する
ことを特徴とする音響処理方法。
【請求項１０】
コンピュータに、
音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、
前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップと
を実行させ、
前記優先出力先選択ステップにおいて、前記使用可能な音信号の出力先の数に応じて設定された前記優先度のグループ数に基づいて、前記優先出力先を選択する処理を実行させるためのプログラム。
【請求項１１】
音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択部と、
前記優先出力先選択部によって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換部と
を備え、
前記優先出力先選択部は、前記優先出力先を選択した前記優先度の指標を示す第１指標値が第１閾値以上である場合に、当該第１指標値と、当該第１指標値より下位の前記優先度の指標を示す第２指標値との差に応じて、前記使用可能な音信号の出力先のうちの前記下位の優先度に対応する音信号の前記優先出力先を選択禁止にする禁止範囲を設定し、当該禁止範囲の出力先が選択されないように、前記下位の優先度に対応する音信号の前記優先出力先を選択する
ことを特徴とする音響処理装置。
【請求項１２】
優先出力先選択部が、音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、
信号変換部が、前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップと
を含み、
前記優先出力先選択ステップにおいて、前記優先出力先選択部が、前記優先出力先を選択した前記優先度の指標を示す第１指標値が第１閾値以上である場合に、当該第１指標値と、当該第１指標値より下位の前記優先度の指標を示す第２指標値との差に応じて、前記使用可能な音信号の出力先のうちの前記下位の優先度に対応する音信号の前記優先出力先を選択禁止にする禁止範囲を設定し、当該禁止範囲の出力先が選択されないように、前記下位の優先度に対応する音信号の前記優先出力先を選択する
ことを特徴とする音響処理方法。
【請求項１３】
コンピュータに、
音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、
前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップと
を実行させ、
前記優先出力先選択ステップにおいて、前記優先出力先を選択した前記優先度の指標を示す第１指標値が第１閾値以上である場合に、当該第１指標値と、当該第１指標値より下位の前記優先度の指標を示す第２指標値との差に応じて、前記使用可能な音信号の出力先のうちの前記下位の優先度に対応する音信号の前記優先出力先を選択禁止にする禁止範囲を設定し、当該禁止範囲の出力先が選択されないように、前記下位の優先度に対応する音信号の前記優先出力先を選択する処理を実行させるためのプログラム。
【発明の詳細な説明】
【技術分野】
【０００１】
本発明は、音響処理装置、音響処理方法、及びプログラムに関する。
【背景技術】
【０００２】
近年、多数の音声チャンネル（マルチチャンネル）を用いることにより，高い臨場感の音響再生を実現する音響システムが提案されている（例えば、非特許文献１を参照）。例えば、８Ｋスーパーハイビジョン放送においては、２２．２チャンネル音響というマルチチャンネル音響が採用されている。また，例えば，音声オブジェクトを用いたオブジェクトベース方式音響（例えば、Ｄｏｌｂｙ  ＡＴＭＯＳなど）によるホームシアターシステムが，家庭用として登場している。
【０００３】
しかしながら、家庭における使用を想定した場合、各家庭に設置されるスピーカの数は、コンテンツ制作時に使用されたスピーカ数よりも少ないことがほとんどである。このため、オブジェクトベース音響やマルチチャンネル音響を家庭で再生するには、例えば、レンダリングやダウンミックスのような、チャンネル数を少なく変換する音響処理技術が必要になる。
【先行技術文献】
【非特許文献】
【０００４】
【非特許文献１】Rec. ITU-R BS.2051-0 “Advanced sound system for programme production”(02/2014)
【発明の概要】
【発明が解決しようとする課題】
【０００５】
従来の音響処理技術では、例えば、ナレーションや台詞などのダイアログのオブジェクトと、背景音や楽器音などのオブジェクトとが同じスピーカから再生されることでマスキングが生じ、ダイアログ音声の明瞭性が損なわれる場合があった。ここでのマスキングとは、ある音が、別の音によって妨害され、聞き取り難くなる現象のことである。
【０００６】
本発明は、上記問題を解決すべくなされたもので、その目的は、出力する音の明瞭性を高めることができる音響処理装置、音響処理方法、及びプログラムを提供することにある。
【課題を解決するための手段】
【０００７】
［１］上記問題を解決するために、本発明の一態様は、音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択部と、前記優先出力先選択部によって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換部とを備えることを特徴とする音響処理装置である。
【０００８】
［２］また、本発明の一態様は、上記の音響処理装置において、前記優先度を判定し、前記優先度情報を生成する優先度判定部と、前記使用可能な音信号の出力先のうちから、前記優先出力先選択部によって選択された前記優先出力先を除外した出力先を、新たな前記使用可能な音信号の出力先として更新する出力先更新部とを備え、前記信号変換部は、前記優先音信号を含まない前記複数の音信号を、前記出力先更新部によって更新された前記使用可能な音信号の出力先に対応したチャンネル数の音信号に変換することを特徴とする。
【０００９】
［３］また、本発明の一態様は、上記の音響処理装置において、前記優先度判定部は、前記チャンネルの重要度を示す重要度情報、ダイアログ情報、及び前記チャンネルの位置を示すチャンネル位置情報のうちの少なくとも１つに基づいて、前記優先度を判定し、前記優先度情報を生成することを特徴とする。
【００１０】
［４］また、本発明の一態様は、上記の音響処理装置において、前記優先出力先選択部は、前記複数の音信号のうちの前記優先度が高い順に、前記優先出力先を選択することを特徴とする。
【００１１】
［５］また、本発明の一態様は、上記の音響処理装置において、前記優先出力先選択部は、前記使用可能な音信号の出力先の数に応じて設定された前記優先度のグループ数に基づいて、前記優先出力先を選択することを特徴とする。
【００１２】
［６］また、本発明の一態様は、上記の音響処理装置において、前記優先出力先選択部は、前記優先出力先を選択した前記優先度の指標を示す第１指標値と、当該第１指標値より下位の前記優先度の指標を示す第２指標値との差に応じて、前記使用可能な音信号の出力先のうちの前記下位の優先度に対応する音信号の前記優先出力先を選択禁止にする禁止範囲を設定し、当該禁止範囲の出力先が選択されないように、前記下位の優先度に対応する音信号の前記優先出力先を選択することを特徴とする。
【００１３】
［７］また、本発明の一態様は、上記の音響処理装置において、前記優先出力先選択部は、前記第１指標値が、第１閾値以上である場合に、前記第１指標値と、前記第２指標値との差に応じて、前記禁止範囲を設定することを特徴とする。
【００１４】
［８］また、本発明の一態様は、上記の音響処理装置において、前記優先出力先選択部は、前記第１指標値が、第２閾値より低い場合に、前記第１指標値と、前記第２指標値との差に応じて、前記第１指標値の優先度に対応する音信号に選択された前記優先出力先に、前記下位の優先度に対応する音信号の割り当てを許可し、前記信号変換部は、前記下位の優先度に対応する音信号の割り当てが許可されている場合に、前記優先出力先に、前記下位の優先度に対応する音信号を、所定の信号レベル以下で割り当てることを特徴とする。
【００１５】
［９］また、本発明の一態様は、上記の音響処理装置において、前記優先出力先選択部は、前記優先出力先を選択した前記優先度の指標を示す第１指標値が、第２閾値より低い場合に、前記第１指標値と、当該第１指標値より下位の前記優先度の指標を示す第２指標値との差に応じて、前記第１指標値の優先度に対応する音信号に選択された前記優先出力先に、前記下位の優先度に対応する音信号の割り当てを許可し、前記信号変換部は、前記下位の優先度に対応する音信号の割り当てが許可されている場合に、前記優先出力先に、前記下位の優先度に対応する音信号を、所定の信号レベル以下で割り当てることを特徴とする。
【００１６】
［１０］また、本発明の一態様は、優先出力先選択部が、音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、信号変換部が、前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップとを含むことを特徴とする音響処理方法である。
【００１７】
［１１］また、本発明の一態様は、コンピュータに、音信号の優先度を示す優先度情報と、前記音信号の音源方向を示す方向情報とに基づいて、使用可能な音信号の出力先のうちから、当該音信号を優先して出力する優先出力先を選択し、当該優先出力先に当該音信号を優先音信号として対応付ける優先出力先選択ステップと、前記優先出力先選択ステップによって選択された前記優先出力先に対応するチャンネルに、当該優先音信号を優先して出力する変換を行うとともに、複数の前記音信号を前記使用可能な音信号の出力先に対応したチャンネル数の音信号に変換する信号変換ステップとを実行させるためのプログラムである。
【発明の効果】
【００１８】
本発明によれば、出力する音の明瞭性を高めることができる。
【図面の簡単な説明】
【００１９】
【図１】第１の実施形態による音響処理装置の一例を示すブロック図である。
【図２】第１の実施形態による優先信号の再生スピーカを選択する処理の一例を説明する図である。
【図３】第１の実施形態による音声信号の変換処理の一例を説明する図である。
【図４】第１の実施形態による音響処理装置の動作の一例を示すフローチャートである。
【図５】第２の実施形態による音響処理装置の一例を示すブロック図である。
【図６】第２の実施形態による音響処理装置の動作の一例を示すフローチャートである。
【図７】第３の実施形態による音響処理装置の一例を示すブロック図である。
【図８】第３の実施形態による再生スピーカの禁止範囲の一例を説明する図である。
【図９】第３の実施形態による音響処理装置の動作の一例を示すフローチャートである。
【図１０】第４の実施形態による音響処理装置の一例を示すブロック図である。
【図１１】第４の実施形態による音響処理装置の動作の一例を示すフローチャートである。
【発明を実施するための形態】
【００２０】
以下、本発明の実施形態による音響処理装置について、図面を参照して説明する。
［第１の実施形態］
図１は、第１の実施形態による音響処理装置１の一例を示すブロック図である。
音響処理装置１は、例えば、音声ストリームデータに含まれる複数の音声信号を、出力可能な再生スピーカ（以下、有効スピーカということがある）に対応したチャンネル数の音声信号に変換する。ここで、音声信号には、人の声の音信号の他に、背景音などの人の声以外の音信号も含まれる。
【００２１】
図１に示すように、音響処理装置１は、音声信号抽出部１０と、記憶部２０と、音響処理部３０とを備える。
音声信号抽出部１０は、入力された音声ストリームデータに含まれる複数の音声信号データ、及び付加情報を抽出する。ここで、音声信号データには、音声信号の他に、例えば、ダイアログ音声信号であるか否かを示すダイアログ情報、チャンネル情報などの３次元空間における音源の座標情報などが含まれる。また、付加情報には、例えば、メタデータとして付与される音声信号のｉｍｐｏｒｔａｎｃｅ情報（重要度情報）などが含まれる。また、音声信号抽出部１０は、例えば、後述する音響処理の処理単位で、音声信号データを抽出する。
【００２２】
記憶部２０は、音響処理装置１が実行する処理に利用する各種情報を記憶する。記憶部２０は、例えば、音声情報記憶部２１と、優先信号再生スピーカ記憶部２２と、有効スピーカ記憶部２３と、変換情報記憶部２４とを備える。
音声情報記憶部２１は、音声信号抽出部１０によって抽出された音声信号に関する情報を記憶する。音声情報記憶部２１は、例えば、音声信号を識別する信号識別情報（例えば、チャンネル名、チャンネル番号など）と、音声信号の優先度を示す優先度情報と、音声信号の音源方向を示す方向情報（例えば、上述した座標情報など）とを対応付けて記憶する。
【００２３】
優先信号再生スピーカ記憶部２２（優先出力先記憶部の一例）は、後述する優先信号再生スピーカ選択部３２によって、選択された音声信号及び再生スピーカに関する情報を記憶する。優先信号再生スピーカ記憶部２２は、例えば、再生スピーカを識別するスピーカ識別情報（優先出力先情報）と、優先信号（優先音信号）を識別する優先信号識別情報とを対応付けて記憶する。なお、優先信号識別情報は、例えば、上述した信号識別情報である。
【００２４】
有効スピーカ記憶部２３は、音響処理装置１の出力先である使用可能（有効）な再生スピーカに関する有効スピーカ情報を記憶する。有効スピーカ記憶部２３は、例えば、音響処理装置１に接続される再生装置（不図示）が保有している全再生スピーカを使用可能な再生スピーカとして記憶する。有効スピーカ記憶部２３は、例えば、使用可能な再生スピーカのスピーカ識別情報の一覧（リスト）を有効スピーカ情報として予め記憶する。なお、有効スピーカ記憶部２３は、使用可能な再生スピーカのスピーカ識別情報と、当該再生スピーカの配置情報（位置情報）とを対応付けて記憶してもよい。
【００２５】
変換情報記憶部２４は、音声信号抽出部１０によって抽出された音声信号を、再生スピーカに出力する音声信号に変換する変換情報を記憶する。変換情報記憶部２４は、例えば、ＶＢＡＰ法（Vector Base Amplitude Panning法）などの手法を利用するための変換情報を記憶する。例えば、音声信号抽出部１０によって抽出された音声信号がＭチャンネルの音声信号であり、Ｎチャンネルの音声信号に変換する場合（Ｍ＞Ｎ）には、変換情報は、例えば、Ｎ列×Ｍ行の変換行列（｛Ｋ１１、・・・、Ｋ１Ｍ、Ｋ２１、・・・、ＫＮＭ｝）である。ここで、変換行列の各要素ＫＸＸは、各信号の変換係数値を示している。変換情報記憶部２４は、このような変換行列（変換マトリックス）を、変換元の音声信号のチャンネル数と、変換先のチャンネル数に応じて、予め複数記憶している。
【００２６】
音響処理部３０は、例えば、ＣＰＵ（Central Processing Unit）やＤＳＰ（Digital Signal Processor）を含み、後述する音響処理を実行する。音響処理部３０は、優先度判定部３１と、優先信号再生スピーカ選択部３２と、有効スピーカ更新部３３と、信号変換部３４とを備える。
【００２７】
優先度判定部３１は、例えば、音声信号抽出部１０によって抽出された音声信号データに含まれる情報（例えば、ダイアログ情報）や付加情報（例えば、音声信号に付与されたメタ情報）に含まれる音声信号のｉｍｐｏｒｔａｎｃｅ情報に基づいて、音声信号の優先度を判定し、当該音声信号の優先度を示す優先度情報を生成する。また、優先度判定部３１は、利用者の正面から出力する音声信号に対して優先度を高くするなどのチャンネル位置情報に基づいて、音声信号の優先度を示す優先度情報を生成してもよい。すなわち、優先度判定部３１は、チャンネルの重要度を示す重要度情報（ｉｍｐｏｒｔａｎｃｅ情報）、ダイアログ情報、及びチャンネルの位置を示すチャンネル位置情報のうちの少なくとも１つに基づいて、優先度を判定し、優先度情報を生成する。
【００２８】
例えば、ダイアログ情報に基づいて優先度情報を生成する際には、優先度判定部３１は、音声信号がダイアログである場合に、優先度情報を“高優先度”として生成し、音声信号がダイアログでない場合に、優先度情報を“低優先度”として生成する。
また、例えば、重要度情報（ｉｍｐｏｒｔａｎｃｅ情報）に基づいて優先度情報を生成する際には、優先度判定部３１は、ｉｍｐｏｒｔａｎｃｅ情報の値を優先度情報とし、多段階の優先度を設定する。
【００２９】
また、優先度判定部３１は、音声信号抽出部１０によって抽出された音声信号データに含まれる音声信号を抽出するとともに、位置情報を方向情報として抽出する。優先度判定部３１は、各音声信号の信号識別情報と、優先度情報と、方向情報とを対応付けて音声情報記憶部２１に記憶させる。
なお、本実施形態において、ダイアログ音声信号に含まれる音声は、必ずしもダイアログ（対話）の音声に限られるものではなく、主に人の声で構成される音声信号をダイアログ音声信号としてもよい。また、優先度情報には、ダイアログ情報や重要度情報（ｉｍｐｏｒｔａｎｃｅ情報）そのものを用いてもよい。
【００３０】
優先信号再生スピーカ選択部３２（優先出力先選択部の一例）は、優先度情報と、方向情報とに基づいて、使用可能な再生スピーカ（音声信号の出力先）のうちから、当該音声信号を優先して出力する優先信号再生スピーカ（優先出力先）を選択する。優先信号再生スピーカ選択部３２は、音声情報記憶部２１が記憶する音声情報に基づいて、音声信号抽出部１０によって抽出された音声信号のうち、例えば、優先度が最も高い音声信号を優先信号として抽出する。
【００３１】
また、優先信号再生スピーカ選択部３２は、方向情報に基づいて、有効スピーカ記憶部２３が記憶する有効スピーカ情報に含まれる再生スピーカのうちから、抽出した優先信号を出力する再生スピーカを選択する。すなわち、優先信号再生スピーカ選択部３２は、例えば、優先信号に対応付けられた方向情報に最も近い配置の再生スピーカを選択する。また、優先信号再生スピーカ選択部３２は、優先信号再生スピーカの選択方法として、音声信号の方向情報（座標情報）を用いて、例えば、ドロネー三角形分割法などの手法を用いてもよい。また，優先信号再生スピーカ選択部３２は、事前に優先度に応じて優先信号を割り当てる再生スピーカを決めておき、音声信号の位置情報（座標情報）に依らず、特定のスピーカを選択してもよい。
優先信号再生スピーカ選択部３２は、選択した優先信号再生スピーカのスピーカ識別情報と、当該優先信号識別情報とを対応付けて優先信号再生スピーカ記憶部２２に記憶させる。
【００３２】
ここで、例えば、図２に示すような再生スピーカ配置に場合の一例により、優先信号再生スピーカ選択部３２の処理を具体的に説明する。
図２は、本実施形態による優先信号の再生スピーカを選択する処理の一例を説明する図である。この図において、有効スピーカが、利用者ＨＤ前方にある５つのスピーカ（ＳＰＦＬ、ＳＰＦＬＣ、ＳＰＦＣ、ＳＰＦＲＣ、ＳＰＦＲ）であり、有効スピーカ記憶部２３は、当該５つのスピーカ（ＳＰＦＬ、ＳＰＦＬＣ、ＳＰＦＣ、ＳＰＦＲＣ、ＳＰＦＲ）を含む有効スピーカ情報を記憶している。このような状態において、最も優先度の高い音声信号が、ダイアログ音声信号である場合に、優先信号再生スピーカ選択部３２は、当該ダイアログ音声信号を優先信号として抽出するとともに、方向情報に基づいて、例えば、当該ダイアログ音声信号の音源方向に最も近いスピーカＳＰＦＣを優先信号再生スピーカとして選択する。
【００３３】
また、優先信号再生スピーカ選択部３２は、優先度が複数レベル（複数グループ）ある場合には、優先度が高い順に音声信号と、優先信号である当該音声信号のチャンネル数の変換先となる優先信号再生スピーカとの組み合わせを選定する。すなわち、優先信号再生スピーカ選択部３２は、優先度が高い順に優先信号と優先信号再生スピーカとの対応づけを行う。例えば、図２に示す例では、優先信号再生スピーカ選択部３２は、次に優先度の高い音声信号に対応する優先信号再生スピーカを、５つのスピーカのうちのスピーカＳＰＦＣを除いた有効スピーカ（ＳＰＦＬ、ＳＰＦＬＣ、ＳＰＦＲＣ、ＳＰＦＲ）のうちから選択する。
【００３４】
有効スピーカ更新部３３（出力先更新部の一例）は、使用可能な再生スピーカのうちから、優先信号再生スピーカ選択部３２によって選択された優先信号再生スピーカを除外した再生スピーカを、新たな使用可能な再生スピーカ（有効スピーカ）として更新する。有効スピーカ更新部３３は、例えば、有効スピーカ記憶部２３が記憶する有効スピーカ情報から、優先信号再生スピーカを削除してもよいし、優先信号再生スピーカのスピーカ識別情報に有効スピーカから除外したことを示す情報を付与してもよい。
【００３５】
また、有効スピーカ更新部３３は、優先信号再生スピーカ選択部３２によって、優先信号と優先信号再生スピーカとの組み合わせが選定されるごとに、有効スピーカ情報を更新してもよいし、一連の優先信号と優先信号再生スピーカとの組み合わせの選定が完了した後に、まとめて有効スピーカ情報を更新してもよい。
例えば、上述した図２に示す例では、有効スピーカ更新部３３は、４つのスピーカ（ＳＰＦＬ、ＳＰＦＬＣ、ＳＰＦＲＣ、ＳＰＦＲ）を有効スピーカとして、有効スピーカ記憶部２３が記憶する有効スピーカ情報を更新する。
【００３６】
信号変換部３４は、優先信号再生スピーカ選択部３２によって選択された優先信号再生スピーカに対応するチャンネルに、当該優先信号を優先して出力する変換を行うとともに、複数の音声信号を使用可能な再生スピーカに対応したチャンネル数の音声信号に変換する。信号変換部３４は、例えば、優先信号を含まない複数の音声信号を、有効スピーカ更新部３３によって更新された使用可能な再生スピーカに対応したチャンネル数の音声信号に変換する。具体的に、信号変換部３４は、優先信号再生スピーカ記憶部２２が記憶する優先信号及び優先信号再生スピーカの組み合わせと、有効スピーカ記憶部２３が記憶する有効スピーカ情報と、変換情報記憶部２４が記憶する変換マトリックスとに基づいて、変換係数（例えば、ダウンミックス係数）を生成する。
【００３７】
図３は、本実施形態による音声信号の変換処理の一例を説明する図である。
図３に示す例では、Ｍチャンネルの音声信号（ＳＩ１〜ＳＩＭ）をＮチャンネルの音声信号（ＳＯ１〜ＳＯＮ）に変換する場合の一例であり、音声信号ＳＩ１が優先信号として、チャンネル１の音声信号ＳＯ１が優先信号再生スピーカに対応する音声信号として割り当てられている。
【００３８】
この場合、音声信号（ＳＯ１〜ＳＯＮ）は、図３に示すように、音声信号（ＳＩ１〜ＳＩＭ）の行列にダウンミックス係数ＭＫ（変換行列）を乗算して各音声信号を加算することにより求められる。ここで、例えば、ダウンミックス係数ＭＫ（変換行列）の初期値が未知数である場合には、信号変換部３４は、優先信号を優先して割り付けるように、優先信号に対応する係数部分ＳＫ１を決定した後に、係数部分ＳＫ２を新たに決定する。図３に示す例では、優先信号以外の信号は、“優先度なし”の全て同一の優先度であり、優先信号以外の信号に対応する係数部分ＳＫ２である係数ＳＫ２２、・・・、ＳＫ２Ｍ、・・・、ＳＫＮ２、・・・、ＳＫＮＭは、係数部分ＳＫ１が決定された後に、新たに決定される。
また、ダウンミックス係数ＭＫの初期値（例えば、上述した｛Ｋ１１、・・・、Ｋ１Ｍ、Ｋ２１、・・・、ＫＮＭ｝）が予め定められていてもよい。その場合、信号変換部３４は、必要な変換処理に対応する変換マトリックスを変換情報記憶部２４から取得し、優先信号を優先して割り付けるように、優先信号に対応する係数部分ＳＫ１を変更して、ダウンミックス係数ＭＫ（変換行列）を生成する。なお、優先信号以外の信号に関しては、信号変換部３４は、取得した変換マトリックスの優先信号以外の信号に対応する係数部分ＳＫ２を係数部分ＳＫ１に応じて変更する。
【００３９】
信号変換部３４は、このように生成したダウンミックス係数ＭＫを使用して、Ｍチャンネルの音声信号（ＳＩ１〜ＳＩＭ）をＮチャンネルの音声信号（ＳＯ１〜ＳＯＮ）に変換する。信号変換部３４は、変換処理したＮチャンネルの音声信号（ＳＯ１〜ＳＯＮ）を再生装置が保有している再生スピーカに出力する。
【００４０】
次に、図４を参照して、本実施形態による音響処理装置１の動作について説明する。
図４は、本実施形態による音響処理装置１の動作の一例を示すフローチャートである。
図４に示すように、音響処理装置１は、まず、音声信号を抽出する（ステップＳ１０１）。すなわち、音響処理装置１の音声信号抽出部１０は、入力された音声ストリームデータに含まれる複数の音声信号データ、及び付加情報を、音響処理の処理単位で抽出する。音声信号抽出部１０は、抽出した複数の音声信号データ、及び付加情報を、音響処理部３０の優先度判定部３１に出力する。
【００４１】
次に、優先度判定部３１は、優先度を判定する（ステップＳ１０２）。すなわち、優先度判定部３１は、例えば、音声信号抽出部１０によって抽出された音声信号データに含まれるダイアログ情報や音声信号に付与されたメタ情報に含まれる音声信号のｉｍｐｏｒｔａｎｃｅ情報に基づいて、音声信号の優先度を判定し、当該音声信号の優先度を示す優先度情報を生成する。優先度判定部３１は、各音声信号の信号識別情報と、優先度情報と、方向情報とを対応付けて音声情報記憶部２１に記憶させる。
【００４２】
次に、音響処理部３０の優先信号再生スピーカ選択部３２は、最優先度の音声信号があるか否かを判定する（ステップＳ１０３）。優先信号再生スピーカ選択部３２は、音声情報記憶部２１が記憶する音声情報に基づいて、最も優先度の高い優先度情報があるか否かを判定する。優先信号再生スピーカ選択部３２は、最も優先度の高い優先度情報があると判定した場合（ステップＳ１０３：ＹＥＳ）に、処理をステップＳ１０４に進める。また、優先信号再生スピーカ選択部３２は、最も優先度の高い優先度情報がないと判定した場合（ステップＳ１０３：ＮＯ）に、処理をステップＳ１０６に進める。
【００４３】
ステップＳ１０４において、優先信号再生スピーカ選択部３２は、最優先度の音声信号を優先信号再生スピーカに割り付ける。すなわち、優先信号再生スピーカ選択部３２は、最も優先度の高い優先度情報に対応する信号識別情報及び方向情報（座標情報）を音声情報記憶部２１から取得する。優先信号再生スピーカ選択部３２は、例えば、音声信号の方向情報（座標情報）を用いて、例えば、ドロネー三角形分割法などの手法を用いて、当該信号識別情報に割り付ける優先信号再生スピーカを選択する。優先信号再生スピーカ選択部３２は、選択した優先信号再生スピーカのスピーカ識別情報と、当該優先信号識別情報とを対応付けて優先信号再生スピーカ記憶部２２に記憶させる。
【００４４】
次に、音響処理部３０の有効スピーカ更新部３３は、有効スピーカ情報を更新する（ステップＳ１０５）。有効スピーカ更新部３３は、例えば、使用可能な再生スピーカのうちから、優先信号再生スピーカ選択部３２によって選択された優先信号再生スピーカを除外した再生スピーカを、新たな使用可能な再生スピーカ（有効スピーカ）として更新する。有効スピーカ更新部３３は、例えば、有効スピーカ記憶部２３が記憶する有効スピーカ情報から、優先信号再生スピーカを除外して、再び有効スピーカ記憶部２３に有効スピーカ情報を記憶させる。ステップＳ１０５の処理後に、有効スピーカ更新部３３は、処理を上述したステップＳ１０３に戻し、次の優先度のグループに対して、ステップＳ１０３からステップＳ１０５の処理と同様の処理を実行させる。
【００４５】
また、ステップＳ１０６（最も優先度の高い優先度情報がない場合）において、信号変換部３４は、優先信号再生スピーカの情報、及び有効スピーカ情報に基づいて、音声信号を変換する。すなわち、信号変換部３４は、優先信号再生スピーカ記憶部２２が記憶する優先信号及び優先信号再生スピーカの組み合わせと、有効スピーカ記憶部２３が記憶する有効スピーカ情報と、変換情報記憶部２４が記憶する変換マトリックスとをまず取得する。信号変換部３４は、取得した優先信号及び優先信号再生スピーカの組み合わせと、有効スピーカ情報と、変換マトリックスとに基づいて、変換係数（例えば、図３のダウンミックス係数ＭＫ）を生成する。そして、信号変換部３４は、生成した変換係数に基づいて、例えば、図３の示す変換式を用いて、再生スピーカに出力する音声信号に変換する。
【００４６】
次に、信号変換部３４は、変換した音声信号を各再生スピーカに出力して（ステップＳ１０７）、処理を終了する。なお、音響処理装置１は、上述したステップＳ１０１からステップＳ１０７の処理を、音声ストリームでデータから音響処理の処理単位で音声信号データを抽出して繰り返し実行する。また、上述した例では、ステップＳ１０３及びステップＳ１０４の処理が、優先信号再生スピーカ選択ステップ（優先出力先選択ステップ）に対応し、ステップＳ１０６の処理が、信号変換ステップに対応する。
【００４７】
以上説明したように、本実施形態による音響処理装置１は、優先信号再生スピーカ選択部３２（優先出力先選択部）と、信号変換部３４とを備える。優先信号再生スピーカ選択部３２は、音声信号（音信号）の優先度を示す優先度情報と、音声信号の音源方向を示す方向情報とに基づいて、使用可能な再生スピーカ（音声信号の出力先）のうちから、当該音声信号を優先して出力する優先信号再生スピーカ（優先出力先）を選択する。そして、優先信号再生スピーカ選択部３２は、当該優先信号再生スピーカに当該音声信号を優先信号（優先音信号）として対応付ける。信号変換部３４は、優先信号再生スピーカ選択部３２によって選択された優先信号再生スピーカに対応するチャンネルに、当該優先信号を優先して出力する変換を行うとともに、複数の音声信号を使用可能な再生スピーカに対応したチャンネル数の音声信号に変換する。
【００４８】
これにより、本実施形態による音響処理装置１は、例えば、優先度が高い音声信号を優先して優先信号再生スピーカに出力するため、優先度が高い音声信号（例えば、ナレーションや台詞などのダイアログ音声信号）に、他の音声信号（例えば、背景音や楽器音など）によるマスキングが生じて明瞭性が損なわれることを低減することができる。よって、本実施形態による音響処理装置１は、出力する音の明瞭性を高めることができる。
【００４９】
また、本実施形態による音響処理装置１は、優先度判定部３１と、有効スピーカ更新部３３（出力先更新部）とを備える。優先度判定部３１は、優先度を判定し、優先度情報を生成する。有効スピーカ更新部３３は、使用可能な再生スピーカのうちから、優先信号再生スピーカ選択部３２によって選択された優先信号再生スピーカを除外した出力先を、新たな使用可能な再生スピーカとして更新する。そして、信号変換部３４は、優先信号を含まない複数の音声信号を、有効スピーカ更新部３３によって更新された使用可能な再生スピーカに対応したチャンネル数の音声信号に変換する。
これにより、本実施形態による音響処理装置１は、優先度が高い音声信号を出力する優先信号再生スピーカに割り付けた再生スピーカを使用可能な再生スピーカから除外するため、優先度が高い音声信号を出力する優先信号再生スピーカに、他の音声信号が出力されることを適切に防止することができる。
【００５０】
また、本実施形態では、優先度判定部３１は、チャンネルの重要度を示す重要度情報（例えば、ｉｍｐｏｒｔａｎｃｅ情報）、ダイアログ情報、及びチャンネルの位置を示すチャンネル位置情報のうちの少なくとも１つに基づいて、優先度を判定し、優先度情報を生成する。
これにより、本実施形態による音響処理装置１は、音声信号の優先度を適切に判定することができる。
【００５１】
また、本実施形態では、優先信号再生スピーカ選択部３２は、複数の音声信号のうちの優先度が高い順に、優先信号再生スピーカを選択する。
これにより、本実施形態による音響処理装置１は、音声信号の優先度が高い順に、優先して優先信号再生スピーカに割り付けるため、優先度に応じて、出力する音の明瞭性を高めることができる。
【００５２】
また、本実施形態による音響処理方法は、優先信号再生スピーカ選択ステップ（優先出力先選択ステップ）と、信号変換ステップとを含む。優先信号再生スピーカ選択ステップにおいて、優先信号再生スピーカ選択部３２が、音声信号の優先度を示す優先度情報と、音声信号の音源方向を示す方向情報とに基づいて、使用可能な再生スピーカのうちから、当該音声信号を優先して出力する優先信号再生スピーカを選択し、当該優先信号再生スピーカに当該音声信号を優先信号として対応付ける。信号変換ステップにおいて、信号変換部３４が、優先信号再生スピーカ選択ステップによって選択された優先信号再生スピーカに対応するチャンネルに、当該優先信号を優先して出力する変換を行うとともに、複数の音声信号を使用可能な再生スピーカに対応したチャンネル数の音声信号に変換する。
これにより、本実施形態による音響処理方法は、上述した音響処理装置１と同様に、出力する音の明瞭性を高めることができる。
【００５３】
［第２の実施形態］
次に、図面を参照して、第２の実施形態による音響処理装置１ａについて説明する。
図５は、本実施形態による音響処理装置１ａの一例を示すブロック図である。
図５に示すように、音響処理装置１ａは、音声信号抽出部１０と、記憶部２０ａと、音響処理部３０ａとを備える。この図において、図１に示す構成と同一の構成については、同一の符号を付与し、その説明を省略する。
なお、本実施形態による音響処理装置１ａは、音声信号のグルーピングを行う点が第１の実施形態と異なる。
【００５４】
記憶部２０ａは、音響処理装置１ａが実行する処理に利用する各種情報を記憶する。記憶部２０ａは、例えば、音声情報記憶部２１ａと、優先信号再生スピーカ記憶部２２と、有効スピーカ記憶部２３と、変換情報記憶部２４とを備える。
音声情報記憶部２１ａは、音声信号抽出部１０によって抽出された音声信号に関する情報を記憶する。音声情報記憶部２１ａは、例えば、音声信号を識別する信号識別情報（例えば、チャンネル名、チャンネル番号など）と、音声信号の優先度を示す優先度情報と、音声信号の音源方向を示す方向情報と、音声信号のグループを示すグループ識別情報とを対応付けて記憶する。
【００５５】
音響処理部３０ａは、例えば、ＣＰＵやＤＳＰを含み、音響処理を実行する。音響処理部３０ａは、優先度判定部３１ａと、優先信号再生スピーカ選択部３２と、有効スピーカ更新部３３と、信号変換部３４とを備える。
【００５６】
優先度判定部３１ａは、例えば、音声信号抽出部１０によって抽出された音声信号データに含まれる情報や付加情報に含まれる音声信号のｉｍｐｏｒｔａｎｃｅ情報などに基づいて、音声信号の優先度を判定し、当該音声信号の優先度を示す優先度情報を生成する。また、優先度判定部３１ａは、優先度に応じて、音声信号をグループに分類（グルーピング）する。例えば、優先度判定部３１ａは、同一の優先度に対応する音声信号を同一のグループに分類してもよいし、使用可能な再生スピーカの数に応じてグループ数を決定し、当該グループ数に応じて、優先度の近い音声信号を同一のグループに分類してもよい。優先度判定部３１ａは、信号識別情報と、優先度情報と、方向情報と、音声信号のグループを示すグループ識別情報とを対応付けて、音声情報記憶部２１ａに記憶させる。
【００５７】
なお、本実施形態における優先信号再生スピーカ選択部３２は、基本的に第１の実施形態と同様であるが、優先度判定部３１ａによって分類されたグループに基づいて、優先信号と優先信号再生スピーカとの組み合わせを選択する。例えば、優先度が最も高いグループに３つの音声信号が含まれる場合に、優先信号再生スピーカ選択部３２は、当該グループに含まれる３つの音声信号についてそれぞれ、優先信号再生スピーカを選択する。
このように、本実施形態では、優先信号再生スピーカ選択部３２は、分類した音声信号のグループを、所定のグループ数を有する優先度として、優先信号再生スピーカを選択する。すなわち、優先信号再生スピーカ選択部３２は、使用可能な再生スピーカの数に応じて設定された優先度のグループ数に基づいて、優先信号再生スピーカを選択する。
【００５８】
次に、図６を参照して、本実施形態による音響処理装置１ａの動作について説明する。
図６は、本実施形態による音響処理装置１ａの動作の一例を示すフローチャートである。
図６において、ステップＳ２０１及びステップＳ２０２の処理は、図４に示すステップＳ１０１及びステップＳ１０２の処理と同様であるため、ここではその説明を省略する。
【００５９】
ステップＳ２０３において、優先度判定部３１ａは、音声信号をグループに分類する。例えば、優先度判定部３１ａは、使用可能な再生スピーカの数と、優先度情報とに基づいて、音声信号をグループに分類する。すなわち、優先度判定部３１ａは、使用可能な再生スピーカの数と優先度情報とに応じて、分類するグループ数（優先度のグループ数）を決定し、当該グループ数と優先度情報とに基づいて、各音声信号を各グループに分類する。また、優先度判定部３１ａは、信号識別情報と、優先度情報と、方向情報と、グループ識別情報とを対応付けて、音声情報記憶部２１ａに記憶させる。
【００６０】
続く、ステップＳ２０４及びステップＳ２０５の処理は、優先信号再生スピーカ選択部３２が、音声情報記憶部２１ａが記憶する音声信号のグループを音声信号の優先度として、図４に示すステップＳ１０３及びステップＳ１０４の処理と同様の処理を実行する。
また、ステップＳ２０６からステップＳ２０８までの処理は、図４に示すステップＳ１０５からステップＳ１０７までの処理と同様であるので、ここでは、その説明を省略する。
なお、音響処理装置１ａは、上述したステップＳ２０１からステップＳ２０８の処理を、音声ストリームでデータから音響処理の処理単位で音声信号データを抽出して繰り返し実行する。
【００６１】
以上説明したように、本実施形態による音響処理装置１ａは、優先度判定部３１ａと、優先信号再生スピーカ選択部３２（優先出力先選択部）と、信号変換部３４とを備える。優先度判定部３１ａは、優先度情報に基づいて、音声信号を所定のグループ数のグループに分類する。優先信号再生スピーカ選択部３２は、分類されたグループに基づいて、優先信号再生スピーカを選択する。そして、優先信号再生スピーカ選択部３２は、当該優先信号再生スピーカに当該音声信号を優先信号（優先音信号）として対応付ける。信号変換部３４は、優先信号再生スピーカ選択部３２によって選択された優先信号再生スピーカに対応するチャンネルに、当該優先信号を優先して出力する変換を行うとともに、複数の音声信号を使用可能な再生スピーカに対応したチャンネル数の音声信号に変換する。
【００６２】
これにより、本実施形態による音響処理装置１ａは、第１の実施形態と同様に、優先度が高い音声信号に、他の音声信号によるマスキングが生じて明瞭性が損なわれることを低減することができる。よって、本実施形態による音響処理装置１ａは、出力する音の明瞭性を高めることができる。
【００６３】
また、本実施形態では、優先度判定部３１ａは、使用可能な再生スピーカの数に応じてグループ数を決定する。優先信号再生スピーカ選択部３２は、音声信号のグループを音声信号の優先度として優先信号再生スピーカを選択する。すなわち、優先信号再生スピーカ選択部３２は、使用可能な再生スピーカの数に応じて設定された優先度のグループ数に基づいて、優先信号再生スピーカを選択する。
これにより、本実施形態による音響処理装置１ａは、使用可能な再生スピーカの数に応じて適切に優先度のグループ数を設定することができる。よって、本実施形態による音響処理装置１ａは、使用可能な再生スピーカの数に応じて、出力する音の明瞭性を適切に高めることができる。
【００６４】
［第３の実施形態］
次に、図面を参照して、第３の実施形態による音響処理装置１ｂについて説明する。
図７は、本実施形態による音響処理装置１ｂの一例を示すブロック図である。
図７に示すように、音響処理装置１ｂは、音声信号抽出部１０と、記憶部２０ｂと、音響処理部３０ｂとを備える。この図において、図１に示す構成と同一の構成については、同一の符号を付与し、その説明を省略する。
なお、本実施形態による音響処理装置１ｂは、優先度の差に応じて、他の信号の出力を禁止する禁止範囲を、優先信号に対して設定する点が第１の実施形態と異なる。
【００６５】
記憶部２０ｂは、音響処理装置１ｂが実行する処理に利用する各種情報を記憶する。記憶部２０ｂは、例えば、音声情報記憶部２１と、優先信号再生スピーカ記憶部２２と、有効スピーカ記憶部２３と、変換情報記憶部２４と、禁止範囲情報記憶部２５とを備える。
禁止範囲情報記憶部２５は、優先信号に対して設定される禁止範囲であって、他の信号の出力を禁止する禁止範囲を示す禁止範囲情報を記憶する。禁止範囲情報記憶部２５は、例えば、優先信号識別情報と、禁止範囲（例えば、優先信号に対応する優先信号再生スピーカを中心とした所定の範囲）を示す情報とを対応付けて記憶する。ここで、禁止範囲を示す情報は、例えば、±θのような角度の範囲情報である。
【００６６】
音響処理部３０ｂは、例えば、ＣＰＵやＤＳＰを含み、音響処理を実行する。音響処理部３０ｂは、優先度判定部３１と、優先信号再生スピーカ選択部３２ａと、有効スピーカ更新部３３ａと、信号変換部３４ａとを備える。
【００６７】
優先信号再生スピーカ選択部３２ａ（優先出力先選択部の一例）は、下位の優先度の差に応じて、使用可能な再生スピーカのうちの下位の優先度に対応する音信号の優先信号再生スピーカを選択禁止にする禁止範囲を設定する。ここで、下位の優先度の差とは、優先信号再生スピーカを選択した優先度の指標を示す指標値（第１指標値）と、当該第１指標値より下位の優先度の指標を示す指標値（第２指標値）との差である。なお、指標値は、例えば、ｉｍｐｏｒｔａｎｃｅ情報の値であってもよいし、所定の演算手法によって優先度に応じて算出される値であってもよい。優先信号再生スピーカ選択部３２ａは、設定した禁止範囲を示す情報と、当該優先信号の優先信号識別情報とを対応付けて、禁止範囲情報記憶部２５に記憶させる。
【００６８】
また、優先信号再生スピーカ選択部３２ａによる優先信号再生スピーカの選択処理は、基本的には、第１の実施形態と同様であるが、禁止範囲内の再生スピーカを次の優先信号再生スピーカとして選択しない処理が付加される。すなわち、優先信号再生スピーカ選択部３２ａは、禁止範囲内の再生スピーカ（出力先）が選択されないように、下位の優先度に対応する音声信号の優先信号再生スピーカを選択する。また、優先信号再生スピーカ選択部３２ａは、例えば、第１指標値が、第１閾値以上である場合に、第１指標値と、第２指標値との差に応じて、禁止範囲を設定する。すなわち、優先信号再生スピーカ選択部３２ａは、優先度が高い場合（例えば、第１閾値以上）に、禁止範囲を設定する。
また、優先信号再生スピーカ選択部３２ａは、例えば、禁止範囲情報記憶部２５が記憶する禁止範囲を示す情報に基づいて、禁止範囲の再生スピーカ（出力先）が選択されないように、下位の優先度に対応する音声信号の優先信号再生スピーカを選択する。
【００６９】
ここで、図８を参照して、本実施形態による再生スピーカの禁止範囲について説明する。
図８は、本実施形態による再生スピーカの禁止範囲の一例を説明する図である。
この図において、再生スピーカの配置は、上述した図２と同様である。
図８において、優先信号再生スピーカ選択部３２ａが、スピーカＳＰＦＣを優先信号再生スピーカとして選択した場合、優先信号の優先度の指標値と、次の（下位の）優先度の指標値との差に応じて、禁止範囲Ｄθを設定する。この禁止範囲Ｄθは、例えば、スピーカＳＰＦＣを中心とした±θの角度範囲である。優先信号再生スピーカ選択部３２ａが、上述した指標値の差が大きい程、広い禁止範囲Ｄθを設定し、上述した指標値の差が小さい程、狭い禁止範囲Ｄθを設定する。図８に示す例では、禁止範囲Ｄθは、スピーカＳＰＦＬＣ及びスピーカＳＰＦＲＣを含んだ範囲になっており、この場合、優先信号再生スピーカ選択部３２ａは、スピーカＳＰＦＬＣ及びスピーカＳＰＦＲＣを有効スピーカ情報から除外する。
【００７０】
有効スピーカ更新部３３ａ（出力先更新部の一例）は、使用可能な再生スピーカのうちから、優先信号再生スピーカ選択部３２ａによって選択された優先信号再生スピーカ及び上述した禁止範囲の再生スピーカを除外した再生スピーカを、新たな使用可能な再生スピーカ（有効スピーカ）として更新する。
【００７１】
信号変換部３４ａは、優先信号再生スピーカ選択部３２ａによって選択された優先信号再生スピーカに対応するチャンネルに、当該優先信号を優先して出力する変換を行うとともに、上述した禁止範囲と、有効スピーカ情報とに基づいて、複数の音声信号を使用可能な再生スピーカに対応したチャンネル数の音声信号に変換する。信号変換部３４ａは、例えば、優先信号及び優先信号再生スピーカの組み合わせと、有効スピーカ情報と、変換マトリックスと、禁止範囲情報記憶部２５が記憶する禁止範囲情報とに基づいて、変換係数（例えば、ダウンミックス係数）を生成する。なお、信号変換部３４ａは、優先信号及び優先信号再生スピーカの組み合わせを優先信号再生スピーカ記憶部２２から取得し、有効スピーカ情報を有効スピーカ記憶部２３から取得し、変換マトリックスを変換情報記憶部２４から取得する。信号変換部３４ａは、生成した変換係数（例えば、ダウンミックス係数）を利用して、複数の音声信号を使用可能な再生スピーカに対応したチャンネル数の音声信号に変換する。
【００７２】
次に、図９を参照して、本実施形態による音響処理装置１ｂの動作について説明する。
図９は、本実施形態による音響処理装置１ｂの動作の一例を示すフローチャートである。
図９において、ステップＳ３０１及びステップＳ３０３の処理は、図４に示すステップＳ１０１及びステップＳ１０３の処理と同様であるため、ここではその説明を省略する。
【００７３】
ステップＳ３０４において、音響処理部３０ｂの優先信号再生スピーカ選択部３２ａは、最高優先度が第１閾値以上であるか否かを判定する。すなわち、優先信号再生スピーカ選択部３２ａは、最優先度の指標を示す第１指標値が、予め設定された第１閾値以上であるか否かを判定する。優先信号再生スピーカ選択部３２ａは、最高優先度が第１閾値以上である場合（ステップＳ３０４：ＹＥＳ）に、処理をステップＳ３０５に進める。また、優先信号再生スピーカ選択部３２ａは、最高優先度が第１閾値未満である場合（ステップＳ３０４：ＮＯ）に、処理をステップＳ３０６に進める。
【００７４】
ステップＳ３０５において、優先信号再生スピーカ選択部３２ａは、優先度の差に応じて、禁止範囲を設定する。すなわち、優先信号再生スピーカ選択部３２ａは、上述した第１指標値と、次の優先度の指標を示す第２指標値との差（優先度の差）に応じて、禁止範囲を設定する。優先信号再生スピーカ選択部３２ａは、設定した禁止範囲を示す情報と、当該優先信号の優先信号識別情報とを対応付けて、禁止範囲情報記憶部２５に記憶させる。
【００７５】
ステップＳ３０６において、優先信号再生スピーカ選択部３２ａは、最優先度の音声信号を優先信号再生スピーカに割り付ける。なお、上位の優先度（前の優先信号）において禁止範囲が設定されている場合には、優先信号再生スピーカ選択部３２ａは、上位の優先度（前の優先信号）で設定された禁止範囲の再生スピーカ（出力先）が選択されないように、現在の優先度に対応する音声信号の優先信号再生スピーカを選択する。優先信号再生スピーカ選択部３２ａは、選択した優先信号再生スピーカのスピーカ識別情報と、当該優先信号識別情報とを対応付けて優先信号再生スピーカ記憶部２２に記憶させる。
【００７６】
次に、有効スピーカ更新部３３ａは、有効スピーカ情報を更新する（ステップＳ３０７）。有効スピーカ更新部３３ａは、使用可能な再生スピーカのうちから、優先信号再生スピーカ選択部３２ａによって選択された優先信号再生スピーカ及び上述した禁止範囲の再生スピーカを除外した再生スピーカを、新たな使用可能な再生スピーカ（有効スピーカ）として更新する。ステップＳ３０７の処理後に、有効スピーカ更新部３３ａは、処理を上述したステップＳ３０３に戻し、次の優先度のグループに対して、ステップＳ３０３からステップＳ３０７の処理と同様の処理を実行させる。
【００７７】
ステップＳ３０３において、優先信号再生スピーカ選択部３２ａが、最も優先度の高い優先度情報がないと判定した場合（ステップＳ３０３：ＮＯ）に、処理をステップＳ３０８に進め、信号変換部３４ａは、優先信号再生スピーカの情報、禁止範囲、及び有効スピーカ情報に基づいて、音声信号を変換する。信号変換部３４ａは、例えば、優先信号及び優先信号再生スピーカの組み合わせと、有効スピーカ情報と、変換マトリックスと、禁止範囲情報記憶部２５が記憶する禁止範囲情報とに基づいて、変換係数（例えば、ダウンミックス係数）を生成する。そして、信号変換部３４ａは、生成した変換係数（例えば、ダウンミックス係数）を利用して、複数の音声信号を使用可能な再生スピーカに対応したチャンネル数の音声信号に変換する。
【００７８】
続く、ステップＳ３０９の処理は、図４に示すステップＳ１０７の処理と同様であるので、ここではその説明を省略する。
なお、音響処理装置１ｂは、上述したステップＳ３０１からステップＳ３０９の処理を、音声ストリームでデータから音響処理の処理単位で音声信号データを抽出して繰り返し実行する。
【００７９】
以上説明したように、本実施形態による音響処理装置１ｂは、優先信号再生スピーカ選択部３２ａ（優先出力先選択部）と、信号変換部３４ａとを備える。
これにより、本実施形態による音響処理装置１ｂは、第１の実施形態と同様に、優先度が高い音声信号に、他の音声信号によるマスキングが生じて明瞭性が損なわれることを低減することができる。よって、本実施形態による音響処理装置１ｂは、出力する音の明瞭性を高めることができる。
【００８０】
また、本実施形態では、優先信号再生スピーカ選択部３２ａは、優先信号再生スピーカを選択した優先度の指標を示す第１指標値と、当該第１指標値より下位の優先度の指標を示す第２指標値との差に応じて、使用可能な再生スピーカのうちの下位の優先度に対応する音声信号の優先信号再生スピーカを選択禁止にする禁止範囲を設定する。また、優先信号再生スピーカ選択部３２ａは、当該禁止範囲の出力先が選択されないように、下位の優先度に対応する音声信号の優先信号再生スピーカを選択する。
これにより、本実施形態による音響処理装置１ｂは、優先度が高い音声信号を優先して優先信号再生スピーカに出力し、禁止範囲によりマスキングが生じることをさらに低減できるため、優先度が高い音声信号の明瞭性をさらに高めることができる。
【００８１】
また、本実施形態では、優先信号再生スピーカ選択部３２ａは、第１指標値が、第１閾値以上である場合に、第１指標値と、第２指標値との差に応じて、禁止範囲を設定する。
これにより、本実施形態による音響処理装置１ｂは、優先度の高い場合に、禁止範囲を適切に設定することができる。
【００８２】
［第４の実施形態］
次に、図面を参照して、第４の実施形態による音響処理装置１ｃについて説明する。
図１０は、本実施形態による音響処理装置１ｃの一例を示すブロック図である。
図１０に示すように、音響処理装置１ｃは、音声信号抽出部１０と、記憶部２０ｃと、音響処理部３０ｃとを備える。この図において、図１に示す構成と同一の構成については、同一の符号を付与し、その説明を省略する。
なお、本実施形態による音響処理装置１ｃは、優先度が低い場合に、優先度の差に応じて、当該優先信号に他の信号の出力を許可する点が第１の実施形態と異なる。
【００８３】
記憶部２０ｃは、音響処理装置１ｃが実行する処理に利用する各種情報を記憶する。記憶部２０ｃは、例えば、音声情報記憶部２１と、優先信号再生スピーカ記憶部２２と、有効スピーカ記憶部２３と、変換情報記憶部２４と、ミックス許可情報記憶部２６とを備える。
ミックス許可情報記憶部２６は、優先信号に対して設定されるミックス許可情報を記憶する。ミックス許可情報記憶部２６は、例えば、優先信号識別情報と、他の信号の出力を許可するミックス許可を示す情報とを対応付けて記憶する。
【００８４】
音響処理部３０ｃは、例えば、ＣＰＵやＤＳＰを含み、音響処理を実行する。音響処理部３０ｃは、優先度判定部３１と、優先信号再生スピーカ選択部３２ｂと、有効スピーカ更新部３３と、信号変換部３４ｂとを備える。
【００８５】
優先信号再生スピーカ選択部３２ｂ（優先出力先選択部の一例）は、優先信号再生スピーカを選択した優先度の指標を示す第１指標値が、第２閾値より低い場合に、下位の優先度の差に応じて、第１指標値の優先度に対応する音声信号に選択された優先信号再生スピーカに、下位の優先度に対応する音声信号の割り当てを許可する。ここで、下位の優先度の差とは、優先信号再生スピーカを選択した優先度の指標を示す指標値（第１指標値）と、当該第１指標値より下位の優先度の指標を示す指標値（第２指標値）との差である。また、優先信号再生スピーカ選択部３２ｂは、第１指標値が、第２閾値以上である場合に、第１指標値の優先度に対応する音声信号に選択された優先信号再生スピーカに、下位の優先度に対応する音声信号の割り当てを許可しない。
【００８６】
優先信号再生スピーカ選択部３２ｂは、例えば、下位の優先度の差が所定の値（第３閾値）以上である場合に、下位の優先度に対応する音声信号の割り当てを許可してもよいし、下位の優先度の差に応じて、下位の優先度に対応する音声信号を割り当てる際に、信号レベルを低減させる割合を変更してもよい。優先信号再生スピーカ選択部３２ｂは、下位の優先度に対応する音声信号の割り当ての許可（ミックス許可）を示す情報と当該優先信号の優先信号識別情報とを対応付けて、ミックス許可情報記憶部２６に記憶させる。
【００８７】
信号変換部３４ｂは、優先信号再生スピーカに対応するチャンネルに、当該優先信号を優先して出力する変換を行うとともに、上述したミックス許可情報と、有効スピーカ情報とに基づいて、複数の音声信号を使用可能な再生スピーカに対応したチャンネル数の音声信号に変換する。信号変換部３４ｂは、下位の優先度に対応する音声信号の割り当てが許可されている場合に、優先信号再生スピーカに、下位の優先度に対応する音声信号を、所定の信号レベル以下で割り当てる。信号変換部３４ｂは、例えば、優先信号及び優先信号再生スピーカの組み合わせと、有効スピーカ情報と、変換マトリックスと、ミックス許可情報記憶部２６が記憶するミックス許可情報とに基づいて、変換係数（例えば、ダウンミックス係数）を生成する。信号変換部３４ｂは、生成した変換係数（例えば、ダウンミックス係数）を利用して、複数の音声信号を使用可能な再生スピーカに対応したチャンネル数の音声信号に変換する。
【００８８】
次に、図１１を参照して、本実施形態による音響処理装置１ｃの動作について説明する。
図１１は、本実施形態による音響処理装置１ｃの動作の一例を示すフローチャートである。
図１１において、ステップＳ４０１及びステップＳ４０３の処理は、図４に示すステップＳ１０１及びステップＳ１０３の処理と同様であるため、ここではその説明を省略する。
【００８９】
ステップＳ４０４において、音響処理部３０ｃの優先信号再生スピーカ選択部３２ｂは、最高優先度が第２閾値より低いか否かを判定する。すなわち、優先信号再生スピーカ選択部３２ｂは、最優先度の指標を示す第１指標値が、予め設定された第２閾値未満であるか否かを判定する。優先信号再生スピーカ選択部３２ｂは、最高優先度が第２閾値未満である場合（ステップＳ４０４：ＹＥＳ）に、処理をステップＳ４０５に進める。また、優先信号再生スピーカ選択部３２ｂは、最高優先度が第２閾値以上である場合（ステップＳ４０４：ＮＯ）に、処理をステップＳ４０６に進める。
【００９０】
ステップＳ４０５において、優先信号再生スピーカ選択部３２ｂは、優先度の差に応じて、許可情報を設定する。すなわち、優先信号再生スピーカ選択部３２ｂは、上述した第１指標値と、次の優先度の指標を示す第２指標値との差（優先度の差）に応じて、下位の優先度に対応する音声信号の割り当てを許可する許可情報（ミックス許可を示す情報）を設定する。優先信号再生スピーカ選択部３２ｂは、許可情報（ミックス許可を示す情報）と、当該優先信号の優先信号識別情報とを対応付けて、ミックス許可情報記憶部２６に記憶させる。
【００９１】
ステップＳ４０６において、優先信号再生スピーカ選択部３２ｂは、最優先度の音声信号を優先信号再生スピーカに割り付ける。優先信号再生スピーカ選択部３２ｂは、選択した優先信号再生スピーカのスピーカ識別情報と、当該優先信号識別情報とを対応付けて優先信号再生スピーカ記憶部２２に記憶させる。
【００９２】
次に、有効スピーカ更新部３３は、有効スピーカ情報を更新する（ステップＳ４０７）。有効スピーカ更新部３３は、使用可能な再生スピーカのうちから、優先信号再生スピーカ選択部３２ｂによって選択された優先信号再生スピーカを除外した再生スピーカを、新たな使用可能な再生スピーカ（有効スピーカ）として更新する。ステップＳ４０７の処理後に、有効スピーカ更新部３３は、処理を上述したステップＳ４０３に戻し、次の優先度のグループに対して、ステップＳ４０３からステップＳ４０７の処理と同様の処理を実行させる。
【００９３】
ステップＳ４０３において、優先信号再生スピーカ選択部３２ｂが、最も優先度の高い優先度情報がないと判定した場合（ステップＳ４０３：ＮＯ）に、処理をステップＳ４０８に進め、信号変換部３４ｂは、優先信号再生スピーカの情報、許可情報、及び有効スピーカ情報に基づいて、音声信号を変換する。信号変換部３４ｂは、例えば、優先信号及び優先信号再生スピーカの組み合わせと、有効スピーカ情報と、変換マトリックスと、ミックス許可情報記憶部２６が記憶する許可情報とに基づいて、変換係数（例えば、ダウンミックス係数）を生成する。なお、信号変換部３４ｂは、下位の優先度に対応する音声信号の割り当てが許可されている場合に、優先信号再生スピーカに、下位の優先度に対応する音声信号を、所定の信号レベル以下で割り当てる変換係数（例えば、ダウンミックス係数）を生成する。そして、信号変換部３４ｂは、生成した変換係数（例えば、ダウンミックス係数）を利用して、複数の音声信号を使用可能な再生スピーカに対応したチャンネル数の音声信号に変換する。
【００９４】
続く、ステップＳ４０９の処理は、図４に示すステップＳ１０７の処理と同様であるので、ここではその説明を省略する。
なお、音響処理装置１ｃは、上述したステップＳ４０１からステップＳ４０９の処理を、音声ストリームでデータから音響処理の処理単位で音声信号データを抽出して繰り返し実行する。
【００９５】
以上説明したように、本実施形態による音響処理装置１ｃは、優先信号再生スピーカ選択部３２ｂ（優先出力先選択部）と、信号変換部３４ｂとを備える。
これにより、本実施形態による音響処理装置１ｃは、第１の実施形態と同様に、優先度が高い音声信号に、他の音声信号によるマスキングが生じて明瞭性が損なわれることを低減することができる。よって、本実施形態による音響処理装置１ｃは、出力する音の明瞭性を高めることができる。
【００９６】
また、本実施形態では、優先信号再生スピーカ選択部３２ｂは、優先信号再生スピーカを選択した優先度の指標を示す第１指標値が、第２閾値より低い場合に、第１指標値と、当該第１指標値より下位の優先度の指標を示す第２指標値との差に応じて、第１指標値の優先度に対応する音声信号に選択された優先信号再生スピーカに、下位の優先度に対応する音声信号の割り当てを許可する。そして、信号変換部３４ｂは、下位の優先度に対応する音声信号の割り当てが許可されている場合に、優先信号再生スピーカに、下位の優先度に対応する音声信号を、所定の信号レベル以下で割り当てる。
【００９７】
これにより、本実施形態による音響処理装置１ｃは、優先度が低い優先信号に対応する優先信号再生スピーカに対して、他の音声信号を所定の信号レベル以下で割り付けることを許可するため、例えば、再生スピーカ（音信号の出力先）の数が少ない場合であっても、複数の音声信号を適切に変換することができる。また、本実施形態による音響処理装置１ｃは、優先度が高い優先信号に対応する優先信号再生スピーカに対して、他の音声信号を割り付けることを許可しないため、優先度が高い音声信号に、他の音声信号によるマスキングが生じて明瞭性が損なわれることを低減することができる。
【００９８】
なお、本発明は、上記の各実施形態に限定されるものではなく、本発明の趣旨を逸脱しない範囲で変更可能である。
例えば、上記の各実施形態は、それぞれ単独で実施する例を説明したが、これに限定されるものではなく、上記の各実施形態の一部又は全部が、組み合わされて実施されてもよい。例えば、上記の第１の実施形態と第２の実施形態とが、組み合わされて実施されてもよいし、上記の第３の実施形態と第４の実施形態とが、組み合わされて実施されてもよい。また、上記の第１の実施形態から第４の実施形態の全ての実施形態が、組み合わされて実施されてもよい。
【００９９】
また、上記の各実施形態において、信号変換部３４（３４ａ、３４ｂ）は、優先信号再生スピーカ記憶部２２、有効スピーカ記憶部２３、及び変換情報記憶部２４が記憶する情報に基づいて、変換係数（例えば、ダウンミックス係数）を生成する例を説明したが、これに限定されるものではない。例えば、信号変換部３４（３４ａ、３４ｂ）は、さらに各音声信号の方向情報を加えた情報に基づいて、変換係数（例えば、ダウンミックス係数）を生成してもよい。
【０１００】
また、上記の各実施形態において、信号変換部３４（３４ａ、３４ｂ）は、ダウンミックスの手法を用いて音声信号を変換する例を説明したが、例えば、レンダリングの手法などの他の変換手法を用いて音声信号を変換するようにしてもよい。
また、上記の各実施形態において、音響処理装置１（１ａ、１ｂ、１ｃ）は、音声信号抽出部１０を備える例を説明したが、音声信号抽出部１０を備えずに、音声信号、方向情報（座標情報）、及び優先度情報を外部から取得するようにしてもよい。
【０１０１】
なお、上述した音響処理装置１（１ａ、１ｂ、１ｃ）が備える各構成は、内部に、コンピュータシステムを有している。そして、上述した音響処理装置１（１ａ、１ｂ、１ｃ）が備える各構成の機能を実現するためのプログラムをコンピュータ読み取り可能な記録媒体に記録して、この記録媒体に記録されたプログラムをコンピュータシステムに読み込ませ、実行することにより上述した音響処理装置１（１ａ、１ｂ、１ｃ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１０２】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に音響処理装置１（１ａ、１ｂ、１ｃ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１０３】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１０４】
１、１ａ、１ｂ、１ｃ  音響処理装置
１０  音声信号抽出部
２０、２０ａ、２０ｂ、２０ｃ  記憶部
２１、２１ａ  音声情報記憶部
２２  優先信号再生スピーカ記憶部
２３  有効スピーカ記憶部
２４  変換情報記憶部
２５  禁止範囲情報記憶部
２６  ミックス許可情報記憶部
３０、３０ａ、３０ｂ、３０ｃ  音響処理部
３１、３１ａ  優先度判定部
３２、３２ａ、３２ｂ  優先信号再生スピーカ選択部
３３、３３ａ  有効スピーカ更新部
３４、３４ａ、３４ｂ  信号変換部
【図１】
0006741478.tif 000002
【図２】
0006741478.tif 000003
【図３】
0006741478.tif 000004
【図４】
0006741478.tif 000005
【図５】
0006741478.tif 000006
【図６】
0006741478.tif 000007
【図７】
0006741478.tif 000008
【図８】
0006741478.tif 000009
【図９】
0006741478.tif 000010
【図１０】
0006741478.tif 000011
【図１１】
0006741478.tif 000012